(57)【要約】【課題】パネル部材の取付位置の高さを揃える作業を簡便に行うことができる間仕切パネル装置を提供する。【解決手段】天井面Ｒに沿って左右方向に延びる笠木レール５と、床面Ｆに沿って左右方向に延びる巾木レール６と、笠木レール５及び巾木レール６の間に左右方向に離間して配設される複数の支柱２と、支柱２間に取付けられるパネル部材４と、を備え、パネル部材４を連設して空間を区画する間仕切パネル装置１であって、巾木レール５の上に左右方向に離間して複数配置される高さ調整機構１２と、高さ調整機構１２を介して上下方向に角度を調整可能に巾木レール５上に支持される横フレーム９と、を備え、横フレーム９に複数の支柱２が支持されている。【選択図】図４
2020070699.tif 000002
【特許請求の範囲】
【請求項１】
天井面に沿って左右方向に延びる笠木レールと、床面に沿って左右方向に延びる巾木レールと、前記笠木レール及び前記巾木レールの間に左右方向に離間して配設される複数の支柱と、前記支柱間に取付けられるパネル部材と、を備え、前記パネル部材を連設して空間を区画する間仕切パネル装置であって、
前記巾木レールの上に左右方向に離間して複数配置される高さ調整機構と、該高さ調整機構を介して上下方向に角度を調整可能に前記巾木レール上に支持される横フレームと、を備え、前記横フレームに複数の前記支柱が支持されていることを特徴とする間仕切パネル装置。
【請求項２】
前記支柱と前記横フレームとは、前記横フレームに対して前記支柱の前後の移動が規制されるように凹凸嵌合されていることを特徴とする請求項１に記載の間仕切パネル装置。
【請求項３】
前記支柱には、その下端部に下向きに開口するとともに左右方向に開放する凹部が設けられ、前記横フレームには、前記凹部が嵌合される凸部が上方に突出して設けられており、前記凸部は、前記横フレームに沿って左右方向に延びるレール状を成すことを特徴とする請求項１または２に記載の間仕切パネル装置。
【請求項４】
前記横フレームは、断面視略下向きコ字状を成すことを特徴とする請求項１ないし３のいずれかに記載の間仕切パネル装置。
【請求項５】
断面視略下向きコ字状の前記横フレームが前記巾木レールの上方から被覆されていることを特徴とする請求項１ないし４のいずれかに記載の間仕切パネル装置。
【請求項６】
前記横フレームは、前記パネル部材を支持する支持部を備えることを特徴とする請求項１ないし５のいずれかに記載の間仕切パネル装置。
【請求項７】
前記高さ調整機構が前後方向に少なくとも一対設けられていることを特徴とする請求項１ないし６のいずれかに記載の間仕切パネル装置。
【発明の詳細な説明】
【技術分野】
【０００１】
本発明は、空間を区画する間仕切パネル装置に関する。
【背景技術】
【０００２】
オフィス、会議室、ショールーム、店舗等の室内を所定の区画に仕切り、所望の小区画のレイアウトを実現するために、複数のパネル部材を左右または前後等の所定の方向に連設してなる間仕切パネル装置が使用されている。例えば、天井と床に敷設される上下のレール間に支柱を複数設置し、左右の支柱間にパネル部材を取付けることにより構成される間仕切パネル装置がある。このような間仕切パネル装置にあっては、床に不陸部が存在する場合、左右の支柱同士の高さが異なることで、各支柱のパネル部材の取付位置が上下にずれ、パネル部材の取付角度が傾いて見栄えが悪くなる虞があった。
【０００３】
そこで、特許文献１のような間仕切パネル装置が開発されている。特許文献１の間仕切パネル装置は、各支柱の下端部にネジ式のアジャスタ装置（高さ調整機構）が取付けられているとともに、各支柱の下端部同士が連結部材により左右方向に連結されている。そのため、床に不陸部が存在する場合には、連結部材が水平となるようにアジャスタ装置を操作して各支柱の下端部と床面との高さ方向の距離を調整することにより、各支柱におけるパネル部材の取付位置を揃え、パネル部材を支柱間に水平に取付けることができるようになっている。
【先行技術文献】
【特許文献】
【０００４】
【特許文献１】特許５７７２６６４号（第４頁、第８図）
【発明の概要】
【発明が解決しようとする課題】
【０００５】
特許文献１の間仕切パネル装置にあっては、左右２本の支柱におけるパネル部材の取付位置を揃えることができるものの、多数の支柱が左右方向に連続して配置される場合には、各支柱間の連結部材は許容誤差の範囲内で水平調整されることから、隣接するパネル部材同士の取付位置が上下にずれる虞があり、多数連設されるパネル部材の取付位置の高さを正確に揃える作業が煩雑であった。
【０００６】
本発明は、このような問題点に着目してなされたもので、パネル部材の取付位置の高さを揃える作業を簡便に行うことができる間仕切パネル装置を提供することを目的とする。
【課題を解決するための手段】
【０００７】
前記課題を解決するために、本発明の間仕切パネル装置は、
天井面に沿って左右方向に延びる笠木レールと、床面に沿って左右方向に延びる巾木レールと、前記笠木レール及び前記巾木レールの間に左右方向に離間して配設される複数の支柱と、前記支柱間に取付けられるパネル部材と、を備え、前記パネル部材を連設して空間を区画する間仕切パネル装置であって、
前記巾木レールの上に左右方向に離間して複数配置される高さ調整機構と、該高さ調整機構を介して上下方向に角度を調整可能に前記巾木レール上に支持される横フレームと、を備え、前記横フレームに複数の前記支柱が支持されていることを特徴としている。
この特徴によれば、左右方向に複数設けられた高さ調整機構により横フレームを水平に設置し、この水平の横フレームの上に複数の支柱を支持させることで、設置される支柱の本数に関わらず、簡便に各支柱に取付けられるパネル部材の取付位置の高さを水平に揃えることができる。
【０００８】
前記支柱と前記横フレームとは、前記横フレームに対して前記支柱の前後の移動が規制されるように凹凸嵌合されていることを特徴としている。
この特徴によれば、支柱と横フレームとの凹凸嵌合により、横フレームに対する支柱の前後方向の位置決めができる。
【０００９】
前記支柱には、その下端部に下向きに開口するとともに左右方向に開放する凹部が設けられ、前記横フレームには、前記凹部が嵌合される凸部が上方に突出して設けられており、前記凸部は、前記横フレームに沿って左右方向に延びるレール状を成すことを特徴としている。
この特徴によれば、支柱をレール状の凸部に沿ってスライドさせることができるので、横フレームに対する支柱の左右方向の位置調整が簡便であるとともに、凸部が横フレームのリブとして機能するので、横フレームの強度が高い。
【００１０】
前記横フレームは、断面視略下向きコ字状を成すことを特徴としている。
この特徴によれば、横フレームの強度を確保できる。
【００１１】
断面視略下向きコ字状の前記横フレームが前記巾木レールの上方から被覆されていることを特徴としている。
この特徴によれば、巾木レールが横フレームにより被覆され、床面近傍の美観が向上する。
【００１２】
前記横フレームは、前記パネル部材を支持する支持部を備えることを特徴としている。
この特徴によれば、１つの横フレームにより支柱とパネル部材とが支持されるので、支柱とパネル部材との取付け精度が向上する。
【００１３】
前記高さ調整機構が前後方向に少なくとも一対設けられていることを特徴としている。
この特徴によれば、高さ調整機構により横フレームの左右方向の高さと前後方向の高さを調整できるので、横フレームを高い精度で水平にすることができる。
【図面の簡単な説明】
【００１４】
【図１】本発明の実施例における間仕切パネル装置を示す正面図である。
【図２】間仕切パネル装置の分解斜視図である。
【図３】巾木レール近傍の構造を示す分解斜視図である。
【図４】間仕切パネル装置を示す正面断面図である。
【図５】間仕切パネル装置を示す側断面図である。
【図６】笠木レール近傍の構造を示す側断面図である。
【発明を実施するための形態】
【００１５】
本発明に係る間仕切パネル装置を実施するための形態を実施例に基づいて以下に説明する。
【実施例】
【００１６】
実施例に係る間仕切パネル装置につき、図１から図６を参照して説明する。以下、図１の紙面手前を間仕切パネル装置の正面側（前方側）とし、紙面左右を間仕切パネル装置の左右として説明する。
【００１７】
図１に示されるように、間仕切パネル装置１は主に室内のオフィス空間やショールーム等の空間を、その空間の利用目的に合わせて所望の広さに区分けするために設置されるものである。図１及び図２に示されるように、間仕切パネル装置１は、主に、左右方向に複数立設された支柱２と、これら支柱２の間に高さ方向に複数架けられた中間部材３と、支柱２、笠木レール５、巾木レール６、中間部材３により形成される枠に支持される複数のパネル部材４とにより構成されている。
【００１８】
図２に示されるように、支柱２は、アルミ材の押し出し加工により製作された上下方向に延びる長尺部材であり、天井面Ｒに沿って左右方向に延びる笠木レール５と、床面Ｆに沿って左右方向に延びる巾木レール６と、の間に立設されている。具体的には、笠木レール５及び巾木レール６は、左右方向に長く形成されており、笠木レール５と巾木レール６との間には、３本以上の支柱２が左右方向に離間して立設されている。支柱２の上端には、後述する取付金具１１が取付けられており、取付金具１１を介して笠木レール５に取付けられている。また、支柱２の下端は、後述する横フレーム９に接続されており、この横フレーム９と巾木レール６との間には、横フレーム９の高さを調整可能な高さ調整装置１２が左右方向に離間して複数配置されている。なお、支柱２は、薄肉鋼板を曲げ加工することにより製作されていてもよい。
【００１９】
また、支柱２の前面２ａ及び後面２ｂには、取付部材７が支柱２の長手方向に沿って所定間隔毎に取付けられており、取付部材７に対してビスやフック等の図示しない連結部材によりパネル部材４が取付けられている。
【００２０】
中間部材３は、薄肉鋼板を曲げ加工することにより製作された左右方向に延びる長尺部材であり、支柱２の前面２ａ及び後面２ｂに上下に離間して２つ取付けられている。本実施例１の中間部材３は、上下に連結される３つの分割部材３Ａ，３Ｂ，３Ｃから構成されている。尚、ここでは、前側の中間部材３について説明する。
【００２１】
中間部材３において上段に位置する分割部材３Ａは、上方に開口する上向きコ字状を成し、底部３ａと、底部３ａの前端から立ち上がる前片部３ｂと、底部３ａの後端から立ち上がる後片部３ｃと、から構成されており、前片部３ｂは、後片部３ｃよりも上下方向に短寸に形成されている。尚、下段に位置する分割部材３Ｂは、分割部材３Ａを天地反転させた形状であるため、各部位に同一符号を付して説明を省略する。
【００２２】
中段に位置する分割部材３Ｃは、平板状を成し、上面に分割部材３Ａの底部３ａが溶接固定され、下面に分割部材３Ｂの底部３ａが溶接固定されている。尚、分割部材３Ａ，３Ｂは、分割部材３Ｃの後端側の辺に沿って固定されており、分割部材３Ｃの前端側は、分割部材３Ａ，３Ｂの前片部３ｂよりも前方側に張り出している。
【００２３】
このように形成された中間部材３は、分割部材３Ａ，３Ｂの後片部３ｃ，３ｃが支柱２の前面２ａにビスなどで固定されている。また、分割部材３Ｃの前端部には、パネル部材４の下端が載置されるようになっており、パネル部材４を支持できるようになっている。尚、パネル部材４の裏面側の上下端部には、図示しないフックが設けられており、分割部材３Ａ，３Ｂの前片部３ｂ，３ｂに上方向または下方向から係止されるようになっている。
【００２４】
パネル部材４は、薄肉鋼板を曲げ加工することにより成形された正面視矩形状の表面材と、該表面材の裏面に取付けられた断熱材と、から構成されている。本実施例では、支柱２の前面２ａ及び後面２ｂに上下３段ずつ取付けられている。
【００２５】
具体的には、上段のパネル部材４は、左右の支柱２と、笠木レール５と、上側の中間部材３と、で形成される矩形枠に取付けられており、中段のパネル部材４は、左右の支柱２と、上下の中間部材３と、で形成される矩形枠に取付けられており、下段のパネル部材４は、左右の支柱２と、巾木レール６と、下側の中間部材３と、で形成される矩形枠に取付けられている。
【００２６】
前後に配置される上段のパネル部材４，４の上端部の間には、上段のパネル部材４，４の前後方向の距離を保持する介在部材８が配設されており、上段のパネル部材４，４の上端部同士が近接することを防止している。また、下段のパネル部材４，４の下端部の間には、横フレーム９が配置されており、下段のパネル部材４，４の下端部同士が近接することを防止している。
【００２７】
次に、横フレーム９の構造について説明する。図３〜図５に示されるように、横フレーム９は、薄肉鋼板を曲げ加工することにより形成されてカバー部材９１とレール部材９２とから主に構成されている。カバー部材９１は、左右方向に延びる上板部９１ａと、上板部９１ａの前後の両側縁から下方に延びる前板部９１ｂ及び後板部９１ｃと、前板部９１ｂの下端から前方に延びる水平部９１ｄ（支持部）と、後板部９１ｃの下端から後方に延びる水平部９１ｅ（支持部）と、を備えている。すなわち、カバー部材９１は、薄肉鋼板を曲げ加工することにより下向きに開口する断面視ハット形状（略下向きコ字状）に形成されており、上向きコ字状を成す巾木レール６を上方から被覆できるようになっている。また、上板部９１ａには、前後一対の貫通孔９１ｆが左右方向に複数設けられている。尚、水平部９１ｄ，９１ｅは、パネル部材４を載置支持できるようになっている（特に図５参照）。
【００２８】
また、レール部材９２は、左右方向に延びる下板部９２ａと、下板部９２ａの前後の両側縁から上方に延びる前板部９２ｂ及び後板部９２ｃと、前板部９２ｂの上端から後方に延びる水平部９２ｄと、後板部９２ｃの上端から前方に延びる水平部９２ｅと、を備えている。すなわち、レール部材９２は、薄肉鋼板を曲げ加工することにより断面視略Ｃ字形状に形成されている。尚、レール部材９２の前後幅Ｌ１（下板部９２ａの前後幅）は、カバー部材９１の前後幅Ｌ２（上板部９１ａの前後幅）よりも短寸に形成されている（Ｌ１＜Ｌ２）。
【００２９】
また、レール部材９２の前板部９２ｂ及び後板部９２ｃには、貫通孔９２ｆが形成されており、前板部９２ｂ及び後板部９２ｃの内側には、貫通孔９２ｆに連続する雌ネジ部を有するナット９２ｇ（特に図４，５参照）が固定されている。
【００３０】
カバー部材９１及びレール部材９２は、カバー部材９１の前後中央部に沿ってレール部材９２が配置されるように、上板部９１ａと下板部９２ａが溶接により固定されている。尚、カバー部材９１及びレール部材９２はボルトナットなどにより固定されていてもよい。
【００３１】
横フレーム９には、支柱２が接続されるようになっている。具体的には、支柱２は、前板部２１と、後板部２２と、前板部２１及び後板部２２の一方の端縁を連結する側板部２３と、前板部２１及び後板部２２の他方の端縁から互いに近接する方向に折れ曲がる折曲片部２４，２５と、を備え、対向する折曲片部２４，２５の端面は前後に離間している。すなわち、支柱２は、折曲片部２４，２５の間を開口部とする断面視略Ｃ字状を成している。また、側板部２３の下端部には、側面視において下方に開口するとともに、左右に開放する凹部２６が形成されている。この凹部２６の前後幅Ｌ３は、折曲片部２４，２５の離間幅Ｌ４と同等（Ｌ３＝Ｌ４）であり、凹部２６の前後幅Ｌ３及び折曲片部２４，２５の離間幅Ｌ４は、レール部材９２の前後幅Ｌ１と同じまたは僅かに長い寸法に形成されている（Ｌ１≦Ｌ３，Ｌ４）。
【００３２】
支柱２は、凹部２６内及び折曲片部２４，２５間にレール部材９２を挿嵌させた状態で前板部２１及び後板部２２に設けられた貫通孔２７をレール部材９２の貫通孔９２ｆに位置合わせし、ボルト１３をナット９２ｇに螺合させることで横フレーム９に接続されるようになっている。
【００３３】
支柱２を横フレーム９に接続する際には、凹部２６内及び折曲片部２４，２５間にレール部材９２が挿嵌（凹凸嵌合）されるので、横フレーム９に対する支柱２の前後方向の位置決めができ、横フレーム９に対して支柱２が安定するので、支柱２を横フレーム９に接続する作業を行いやすくなっている。
【００３４】
また、凹部２６内及び折曲片部２４，２５の間は、左右方向に開放しているとともに、レール部材９２が左右方向に延びているので、支柱２をレール部材９２に沿ってスライドさせることができ、横フレーム９に対する支柱２の左右方向の位置調整が簡便である。さらに、レール部材９２は、左右方向に延びており、横フレーム９のリブとして機能するので、横フレーム９の強度が高くなっており、支柱２の重量により横フレーム９が撓むことを抑制できる。
【００３５】
次いで、高さ調整装置１２について説明する。高さ調整装置１２は、上向きコ字状を成す巾木レール６に内嵌される下向きコ字状のベース部材１２１と、ベース部材１２１の上板部１２１ａの前後に離間して配置される調整ボルト１２２と、から主に構成されている。具体的には、ベース部材１２１の上板部１２１ａの前後には、貫通孔１２１ｂが形成されており、上板部１２１ａの下面には、貫通孔１２１ｂに連通する雌ネジ部を有するナット１２３が固着されている。このナット１２３には、調整ボルト１２２が上方から螺合されており、調整ボルト１２２は、横フレーム９の貫通孔９１ｆの下方に配置される。調整ボルト１２２の頭部１２２ａは、横フレーム９の貫通孔９１ｆよりも大径に形成されているとともに、頭部１２２ａの上面には、操作溝１２２ｂが形成されており、ドライバ等の工具で上方から調整操作を行えるようになっている。
【００３６】
横フレーム９は、調整ボルト１２２の頭部１２２ａの上に載置されるようになっている。具体的には、図４に示されるように、高さ調整装置１２は、左右方向に複数配置されており、特に巾木レール６の左右端部に配置されている。これによれば、床面Ｆに不陸部が存在していても、巾木レール６の左右端部に配置されている高さ調整装置１２の調整ボルト１２２を調整することにより、横フレーム９の左右の高さを調整して該横フレーム９を正面から見て水平に設置することができる。すなわち、調整ボルト１２２は、横フレーム９の高さを調整する高さ調整機構として機能している。尚、図示しないが、巾木レール６の左右端部に配置されている高さ調整装置１２の間に配置される高さ調整装置１２は、横フレーム９の左右方向中央部を支持して該横フレーム９の撓み等を防止するように機能する。
【００３７】
また、横フレーム９が調整ボルト１２２の頭部１２２ａの上に載置された状態にあっては、頭部１２２ａが横フレーム９の貫通孔９１ｆの周縁を支持するようになっている。すなわち、ドライバ等の工具が横フレーム９の貫通孔９１ｆを通って頭部１２２ａの操作溝１２２ｂにアクセス可能となっているため、横フレーム９を調整ボルト１２２の頭部１２２ａに載置した状態で横フレーム９の水平調整を簡便に行うことができるようになっている。
【００３８】
また、図５に示されるように、高さ調整装置１２には、調整ボルト１２２が前後に２つ設けられている。これによれば、高さ調整装置１２の前後に２つの調整ボルト１２２を調整することにより、横フレーム９の前後の高さを調整して該横フレーム９を側面から見て水平に設置することができる。すなわち、高さ調整装置１２により横フレーム９の左右方向の高さと前後方向の高さを調整できるので、横フレーム９を高い精度で水平に設置することができる。
【００３９】
このように高い精度で水平に設置された横フレーム９に３本以上の支柱２が支持されているので、各支柱２に取付けられるパネル部材４の取付位置の高さを簡便に水平に揃えることができ、パネル部材４を傾かせることなく水平に取付けることができ、見栄えの良い間仕切パネル装置１を構成することができる。
【００４０】
また、横フレーム９のカバー部材９１は、略下向きコ字状を成すので、支柱２を支持可能な横フレーム９の強度を確保できる。さらに、カバー部材９１は、巾木レール６の上方から被覆され、巾木レール６の前後にカバー部材９１の前板部９１ｂ及び後板部９１ｃが配置されるため、床面近傍の美観が向上する。
【００４１】
また、横フレーム９は、パネル部材４を載置支持する水平部９１ｄ，９１ｅを備える。これによれば、１つの横フレーム９を基準として複数の支柱２とパネル部材４とが支持されるので、支柱２とパネル部材４との取付け精度が向上する。
【００４２】
次に、支柱２と笠木レール５との接続態様について説明する。図６に示されるように、支柱２の上下長さは、床面Ｆから天井面Ｒまでの距離よりも短く形成されており、支柱２の上端部は取付金具１１を介して笠木レール５に取付けられている。取付金具１１は、上下方向に延びる取付片１１ａと、取付片１１ａの上端から左右両側に延びる固定片１１ｂと、を備える略Ｔ字形状に形成され（図２参照）、固定片１１ｂが下向きコ字状を成す笠木レール５の底部に固定されている。取付片１１ａは、支柱２内に上方から挿入されており、支柱２の上端部に形成された長孔２ｃを介してビス１４が取付片１１ａに緊締されることで、取付金具１１と支柱２に固定されている。このように、支柱２の上下方向の移動が許容されているので、横フレーム９の水平調整（高さ調整）を行うことができるようになっている。
【００４３】
次いで、間仕切パネル装置１の組み立て手順について説明する。先ず、笠木レール５と巾木レール６とを天井面Ｒと床面Ｆとに固定する。次いで、高さ調整装置１２を左右方向に複数配置するとともに、横フレーム９により巾木レール６を被覆する。そして、横フレーム９が水平に設置されるように各調整ボルト１２２の高さを調整する。次いで、横フレーム９に各支柱２の下端部を接続するとともに、各支柱２の上端部を笠木レール５に接続する。その後、各支柱２間に中間部材３を取付けるとともに、パネル部材４を支柱２に取付けることで間仕切パネル装置１の組み立てが完了する。
【００４４】
以上、本発明の実施例を図面により説明してきたが、具体的な構成はこれら実施例に限られるものではなく、本発明の要旨を逸脱しない範囲における変更や追加があっても本発明に含まれる。
【００４５】
例えば、前記実施例では、高さ調整装置１２が左右方向に離間して複数配置されている形態を例示したが、少なくとも左右に２つ配置されていればよい。この場合、横フレーム９の左右端部に高さ調整装置１２が配置されることが好ましい。
【００４６】
また、前記実施例では、高さ調整装置１２に前後一対の調整ボルト１２２が配置されている形態を例示したが、調整ボルト１２２が前後方向に１つ、または３つ以上設けられていてもよい。また、横フレーム９の左右方向の高さを調整する高さ調整機構と、横フレーム９の前後方向の高さを調整する高さ調整機構と、を別々に設けてもよい。また、高さ調整機構は調整ボルト１２２に限られず、ジャッキ等の別の装置であってもよい。
【００４７】
また、前記実施例では、横フレーム９のレール部材９２に支柱２の凹部２６内及び折曲片部２４，２５が凹凸嵌合される形態を例示したが、横フレーム９に凹溝を設け、支柱２の下端に凹溝に挿嵌される凸部を設け、凹溝と凸部とが凹凸嵌合されるようになっていてもよい。
【００４８】
また、前記実施例では、横フレーム９のレール部材９２が左右方向に延びて形成されていたが、横フレーム９の左右方向に離間して複数の凸部を設け、該凸部に支柱２の下端に設けられた凹部を嵌合させるようになっていてもよい。
【００４９】
また、前記実施例では、横フレーム９がカバー部材９１とレール部材９２とを溶接固定することにより構成されていたが、アルミなどの金属の押し出し加工により構成されていてもよい。
【００５０】
また、前記実施例では、横フレーム９を水平に設置した後、横フレーム９に支柱２を接続する形態を例示したが、横フレーム９に支柱２を接続した後、横フレーム９を水平に設置するようにしてもよい。尚、この場合、高さ調整装置１２は、支柱２の左右方向にずれて配置されているので、横フレーム９の水平調整に掛かる作業スペースが確保されるため、該調整作業を行いやすい（図４参照）。
【００５１】
また、前記実施例では、支柱２を固定するための貫通孔９２ｆが横フレーム９に沿って所定間隔ごとに設けられる形態を例示したが、貫通孔９２ｆは前記実施例よりも左右方向に短い間隔で複数設けられていてもよいし、現地で横フレーム９の適当な位置に孔開け加工をするようにしてもよく、この場合、支柱２の左右方向における取付位置の自由度が高くなる。尚、上記のような場合、各貫通孔９２ｆに対応してナット９２ｇが固着されなくてもよく、支柱２の固定用に選択された貫通孔９２ｆに対してのみナット９２ｇを用いるようにしてもよい。
【符号の説明】
【００５２】
１                間仕切パネル装置
２                支柱
４                パネル部材
５                笠木レール
６                巾木レール
９                横フレーム
１２              高さ調整装置
２６              凹部
９１              カバー部材
９１ｄ，９１ｅ    水平部（支持部）
９２              レール部材（凸部）
１２２            調整ボルト（高さ調整機構）
【図１】
2020070699.tif 000003
【図２】
2020070699.tif 000004
【図３】
2020070699.tif 000005
【図４】
2020070699.tif 000006
【図５】
2020070699.tif 000007
【図６】
2020070699.tif 000008